(57)【要約】      （修正有）【課題】玩具に水をかけても玩具が水に浸かるのを抑制できる水遊び玩具セットを提供する。【解決手段】水をかけて遊ぶ食品型玩具２と、食品型玩具２を入れる鍋型玩具３と、コンロ型玩具４と、水を溜める貯水容器５と、水が充填される調味料容器と、を備える。鍋型玩具３の底面３１には、水を排出する排水穴３２が形成されており、コンロ型玩具４の上面４１には、水を排出する排水穴４６及び排水穴４７が形成されている。貯水容器５は、コンロ型玩具４に挿入されて、排水穴３２、排水穴４６及び排水穴４７から排水された水を受けて溜める。【選択図】図２
0003204646.tif 000002
【実用新案登録請求の範囲】
【請求項１】
水をかけて遊ぶ第一玩具と、
前記第一玩具を入れる第二玩具と、を備え、
前記第二玩具の底面には、水を排出する第一排水穴が形成される、
水遊び玩具セット。
【請求項２】
前記第一排水穴の下方に配置されて、前記第一排水穴を抜けた水を受ける貯水容器を更に備える、
請求項１に記載の水遊び玩具セット。
【請求項３】
前記第一玩具は、温度変化に伴い変色する変色塗料が塗布されている、
請求項１又は２に記載の水遊び玩具セット。
【請求項４】
前記第一玩具は、食品を模した食品型玩具であり、
前記第二玩具は、鍋を模した鍋型玩具である、
請求項１〜３の何れか一項に記載の水遊び玩具セット。
【請求項５】
コンロを模したコンロ型玩具を更に備え、
前記コンロ型玩具の上面には、水を排出する第二排水穴が形成される、
請求項４に記載の水遊び玩具セット。
【考案の詳細な説明】
【技術分野】
【０００１】
本考案は、水をかけて遊ぶ水遊び玩具セットに関する。
【背景技術】
【０００２】
従来から、水を使って遊ぶ水遊び玩具セットが知られている。特許文献１には、温度変化によって変色する塗料が塗布された模擬食品と、冷水を入れる容器と、を備えた水遊び玩具セットが記載されている。この水遊び玩具セットは、水が入った容器に模擬食品を入れた後、容器に氷を入れて模擬食品を冷やすことで、模擬食品を変色させるものである。
【先行技術文献】
【特許文献】
【０００３】
【特許文献１】特開平１０−１１８３５１号公報
【考案の概要】
【考案が解決しようとする課題】
【０００４】
ところで、水を使った遊びとしては、水が入った容器に玩具を入れる遊びではなく、容器に入れた玩具に水をかける遊びも考えられる。例えば、フライパン等の鍋型玩具に食品型玩具を入れて、当該食品型玩具に調味料に見立てた水をかける調理遊びや、シャワー室型玩具に人形を入れて、当該人形にシャワーに見立てた水をかけるシャワー遊び等である。
【０００５】
しかしながら、食品型玩具や人形に水をかけると、食品型玩具や人形を入れた鍋型玩具やシャワー室型玩具に水が溜まる。このため、例えば上述した調理遊びやシャワー遊びでは、食品型玩具や人形が水に浸かってしまい、興趣性に欠けるという問題がある。
【０００６】
そこで、本考案は、興趣性を向上できる水遊び玩具セットを提供することを目的とする。
【課題を解決するための手段】
【０００７】
本考案に係る水遊び玩具セットは、水をかけて遊ぶ第一玩具と、第一玩具を入れる第二玩具と、を備え、第二玩具の底面には、水を排出する第一排水穴が形成される。
【０００８】
本考案に係る水遊び玩具セットでは、第二玩具に第一玩具を入れて第一玩具に水をかけると、第一玩具にかけられた水は、第二玩具の底面に落ちた後に第一排水穴から排水されるため、第一玩具に水をかけても第一玩具が第二玩具内で水に浸かるのを抑制することができる。これにより、興趣性を向上させることができる。
【０００９】
上記の水遊び玩具セットにおいて、第一排水穴の下方に配置されて、第一排水穴を抜けた水を受ける貯水容器を更に備えてもよい。この水遊び玩具セットでは、第一排水穴の下方に配置される貯水容器が第一排水穴を抜けた水を受けるため、貯水容器において一旦水を溜めておき、適時に貯水容器に溜まった水を捨てることで、第二玩具に水を溜めることなく、第一玩具に水をかけて遊ぶことができる。
【００１０】
また、上記の水遊び玩具セットにおいて、第一玩具は、温度変化に伴い変色する変色塗料が塗布されていてもよい。この水遊び玩具セットでは、第一玩具に変色塗料が塗布されているため、例えば、冷水により冷やされた第一玩具に常温の水をかけることで、第一玩具を変色させることができる。これにより、遊びの幅を広げることができる。
【００１１】
また、上記の水遊び玩具セットにおいて、第一玩具は、食品を模した食品型玩具であり、第二玩具は、鍋を模した鍋型玩具であってもよい。この水遊び玩具セットでは、鍋型玩具に入れた食品型玩具に水をかけて遊ぶため、例えば、フライパン等の浅型鍋を模した鍋型玩具に食品型玩具を入れ、調味料に見立てた水をかけることで、興趣性の高い調理遊びをすることができる。
【００１２】
また、上記の水遊び玩具セットにおいて、コンロを模したコンロ型玩具を更に備え、コンロ型玩具の上面には、水を排出する第二排水穴が形成されてもよい。この水遊び玩具セットでは、コンロ型玩具に鍋型玩具を載せることで、鍋に入れた食品をコンロで加熱調理する調理遊びをすることができる。しかも、コンロ型玩具の上面に第二排水穴が形成されているため、鍋型玩具の第一排水穴から排水された水は、更にコンロ型玩具の第二排水穴からも排水される。このため、コンロ型玩具の上面にも水を溜めることなく、食品型玩具に水をかけて遊ぶことができる。
【考案の効果】
【００１３】
本考案によれば、興趣性を向上させることができる。
【図面の簡単な説明】
【００１４】
【図１】第一実施形態に係る水遊び玩具セットの斜視図である。
【図２】図１に示す水遊び玩具セットの縦断面図である。
【図３】コンロ型玩具から貯水容器を引き出した状態を示す斜視図である。
【図４】第二実施形態に係る水遊び玩具セットの縦断面図である。
【考案を実施するための形態】
【００１５】
以下、図面を参照して、本考案に係る水遊び玩具セットの好適な実施形態について詳細に説明する。なお、図面中の同一又は相当部分には同一符号を付すこととする。
【００１６】
［第一実施形態］
第一実施形態は、本考案に係る水遊び玩具セットを、調理遊びに用いる水遊び玩具セットに適用したものである。
【００１７】
図１は、第一実施形態に係る水遊び玩具セットの斜視図である。図２は、図１に示す水遊び玩具セットの縦断面図である。図１及び図２に示すように、本実施形態に係る水遊び玩具セット１は、水をかけて遊ぶ食品型玩具２（第一玩具）と、食品型玩具２を入れる鍋型玩具３（第二玩具）と、コンロ型玩具４と、貯水容器５と、調味料容器６と、を備える。
【００１８】
食品型玩具２は、ハンバーグ、ニンジン、魚等の食品を模した耐水性の玩具である。食品型玩具２の表面には、温度変化に伴い変色する変色塗料２１が塗布されている。変色塗料２１としては、例えば、基準温度未満では透明であるが、基準温度以上では着色される塗料を用いることができる。なお、変色塗料２１としては、例えば、水が付着する前は透明であるが、水が付着すると着色される塗料を用いてもよい。
【００１９】
鍋型玩具３は、フライパン等の浅型鍋を模した耐水性の玩具である。鍋型玩具３の底面３１には、１又は複数の排水穴３２（第一排水穴）が形成されている。排水穴３２は、鍋型玩具３の鍋底を貫通する穴であって、鍋型玩具３に溜まった水を排出する穴である。排水穴３２の数、形状、大きさ、位置等は、排水穴３２により鍋型玩具３に溜まった水を排出できれば、特に限定されるものではない。
【００２０】
コンロ型玩具４は、コンロ（卓上コンロ）を模した耐水性の玩具である。コンロ型玩具４は、中空の円筒状に形成されている。コンロ型玩具４の上面４１には、五徳状に隆起した五徳部４２が形成されている。コンロ型玩具４の側面４３には、火力調整ツマミを模したツマミ部４４が形成されている。
【００２１】
五徳部４２は、コンロ型玩具４の一部位である。五徳部４２は、水遊び玩具セット１で調理遊びをする際に、コンロ型玩具４に載置される鍋型玩具３を支持する。五徳部４２は、円環状の円環部４２１と、円環部４２１から放射状に延びる複数の腕部４２２と、を備える。腕部４２２の数は、特に限定されるものではなく、鍋型玩具３を支持できる数であればよい。図面では、腕部４２２が６本設けられる態様を示している。
【００２２】
また、コンロ型玩具４の上面４１には、円環状に窪んだ環状凹部４５が形成されている。環状凹部４５は、コンロ型玩具４の上面４１に落下した水を集めることが可能な形状となっている。具体的には、環状凹部４５の内周端縁は、五徳部４２の円環部４２１に接続されている。環状凹部４５の外周端部は、環状凹部４５の半径方向中心側に向けて傾斜しながら窪む傾斜面になっている。なお、五徳部４２は、環状凹部４５に形成されている。
【００２３】
そして、コンロ型玩具４の上面４１には、円環部４２１の半径方向中心側に位置する１又は複数の排水穴４６（第二排水穴）と、環状凹部４５に位置する１又は複数の排水穴４７（第二排水穴）と、が形成されている。排水穴４６及び排水穴４７は、コンロ型玩具４の上面４１を貫通する穴であって、コンロ型玩具４の上面４１から水を排出する穴である。排水穴４６，４７の数、形状、大きさ、位置等は、特に限定されるものではない。
【００２４】
また、コンロ型玩具４の底面４８には、１又は複数の排水穴４９が形成されている。排水穴４９は、コンロ型玩具４の底面４８を貫通する穴であって、コンロ型玩具４の中空内部から水を排出する穴である。排水穴４９の数、形状、大きさ、位置等は、特に限定されるものではない。
【００２５】
図３は、コンロ型玩具から貯水容器を引き出した状態を示す斜視図である。図１〜図３に示すように、貯水容器５は、コンロ型玩具４に挿抜可能に装着されて水を貯留する容器である。貯水容器５は、コンロ型玩具４に挿抜されて水を一時的に貯留する貯水部５１と、貯水部５１から突出する杷手部５２と、を備える。貯水部５１は、上方に開放された箱状の容器である。貯水部５１は、コンロ型玩具４に装着された状態では、排水穴４６及び全ての排水穴４７の下方に配置されて、排水穴４６及び全ての排水穴４７を抜けた水を受ける。杷手部５２は、貯水部５１がコンロ型玩具４に装着された際にコンロ型玩具４の側面４３から突出する。
【００２６】
調味料容器６は、水が充填されるとともに、充填された水を吐出する容器である。調味料容器６は、水が充填される容器部６１と、容器部６１に充填された水を吐出する１又は複数の吐出口６２が形成された蓋部６３と、を備える。調味料容器６としては、例えば、塩や胡椒等の粉状の調味料を入れる容器を模した容器や、醤油やソース等の液体状の調味料を入れる容器を模した容器などを用いることができる。
【００２７】
このように構成される食品型玩具２、鍋型玩具３、コンロ型玩具４、貯水容器５及び調味料容器６は、それぞれ別部材で構成されている。このため、水遊び玩具セット１で調理遊びをする際は、食品型玩具２を入れた鍋型玩具３をコンロ型玩具４に載置したままでも、コンロ型玩具４から貯水容器５を抜去することで、貯水容器５に貯留されている水を捨てることができる。
【００２８】
次に、水遊び玩具セット１の遊び方について説明する。
【００２９】
まず、事前準備として、食品型玩具２を氷水等で冷やしておく。これにより、食品型玩具２の変色塗料２１は、氷水等で冷やされることにより着色される。また、調味料容器６に常温の水を入れておく。
【００３０】
事前準備が終わると、食品を鍋で加熱調理するように、コンロ型玩具４に鍋型玩具３を載せて、鍋型玩具３に食品型玩具２を入れる。そして、食品に調味料を振りかけて味付けするように、鍋型玩具３に入れた食品型玩具２に、調味料容器６から水をかける。すると、食品型玩具２の変色塗料２１が常温の水で暖められることにより透明になり、食品型玩具２の下地の色が現れる。これにより、食品型玩具２を調味料により味付けしたように見せることができる。
【００３１】
一方、食品型玩具２にかけられた水は、食品型玩具２を伝って又は直接的に鍋型玩具３の底面３１に落ちていく。鍋型玩具３の底面３１に落ちた水は、排水穴３２を通って底面３１から排出され、更に、鍋型玩具３からコンロ型玩具４に向けて落ちていく。
【００３２】
鍋型玩具３から落ちた水の一部は、コンロ型玩具４の上面４１に形成された排水穴４６を通って、貯水容器５の貯水部５１に落ち、貯水部５１で一時的に溜められる。鍋型玩具３から落ちた水の残りは、コンロ型玩具４の上面４１に落ちて、環状凹部４５に集められる。環状凹部４５に集められた水は、排水穴４７を通って、貯水容器５の貯水部５１に落ち、貯水部５１で一時的に溜められる。
【００３３】
そして、貯水部５１にある程度の水が溜められると、コンロ型玩具４から貯水容器５を抜去して、貯水部５１に溜められた水を捨てる。なお、貯水部５１から溢れた水は、コンロ型玩具４の底面４８に形成された排水穴４９から、コンロ型玩具４の外部に排出される。
【００３４】
このように、本実施形態に係る水遊び玩具セット１では、鍋型玩具３に食品型玩具２を入れて食品型玩具２に水をかけると、食品型玩具２にかけられた水は、鍋型玩具３の底面３１に落ちた後に排水穴３２から排水されるため、食品型玩具２に水をかけても鍋型玩具３内で食品型玩具２が水に浸かるのを抑制することができる。これにより、興趣性を向上させることができる。
【００３５】
また、第一排水穴の下方に配置される貯水容器５が排水穴３２を抜けた水を受けるため、貯水容器５において一旦水を溜めておき、適時に貯水容器５に溜まった水を捨てることで、鍋型玩具３に水を溜めることなく、食品型玩具２に水をかけて遊ぶことができる。
【００３６】
また、食品型玩具２に変色塗料２１が塗布されているため、例えば、冷水により冷やされた食品型玩具２に常温の水をかけることで、食品型玩具２を変色させることができる。これにより、遊びの幅を広げることができる。
【００３７】
また、鍋型玩具３に入れた食品型玩具２に水をかけて遊ぶため、調味料に見立てた水をかけることで、興趣性の高い調理遊びをすることができる。しかも、食品型玩具２には、温度変化に伴い変色する変色塗料２１が塗布されているため、食品型玩具２に調味料に見立てた水をかけて食品型玩具２を変色させることで、より興趣性の高い調理遊びをすることができる。
【００３８】
また、コンロ型玩具４に鍋型玩具３を載せることで、鍋に入れた食品をコンロで加熱調理する調理遊びをすることができる。しかも、コンロ型玩具４の上面４１に排水穴４６及び排水穴４７が形成されているため、鍋型玩具３の排水穴３２から排水された水は、更にコンロ型玩具の第二排水穴からも排水される。このため、コンロ型玩具４の上面４１にも水を溜めることなく、食品型玩具２に水をかけて遊ぶことができる。
【００３９】
［第二実施形態］
次に、第二実施形態に係る水遊び玩具セットについて説明する。第一実施形態は、本考案に係る水遊び玩具セットを、人形をシャワーで洗うシャワー遊びに用いる水遊び玩具セットに適用したものである。
【００４０】
図４は、第二実施形態に係る水遊び玩具セットの縦断面図である。図４に示すように、本実施形態に係る水遊び玩具セット１Ａは、水をかけて遊ぶ人形２Ａ（第一玩具）と、人形２Ａを入れるシャワー室型玩具３Ａ（第二玩具）と、貯水容器５Ａと、シャワー型容器６Ａと、を備える。
【００４１】
人形２Ａは、人の体を模した耐水性の玩具である。人形２Ａの表面には、温度変化に伴い変色する変色塗料２１Ａが塗布されている。変色塗料２１Ａは、例えば、基準温度未満では着色されているが、基準温度以上では透明になる塗料を用いることができる。この場合、例えば、人形２Ａについた汚れを、着色された変色塗料２１Ａで表わすことができる。
【００４２】
シャワー室型玩具３Ａは、シャワー室を模した耐水性の玩具である。シャワー室型玩具３Ａは、上方に開口された容器状に形成されている。シャワー室型玩具３Ａの底面３１Ａには、複数の排水穴３２Ａ（第一排水穴）が形成されている。排水穴３２Ａは、シャワー室型玩具３Ａの底を貫通する穴であって、シャワー室型玩具３Ａに溜まった水を排出する穴である。
【００４３】
貯水容器５Ａは、水を一時的に貯留する容器である。貯水容器５Ａは、上方に開放された箱状の容器である。貯水容器５Ａは、シャワー室型玩具３Ａの下方に配置されて、シャワー室型玩具３Ａに着脱可能に取り付けられる。貯水容器５Ａは、シャワー室型玩具３Ａに取り付けられた状態では、全ての排水穴３２Ａの下方に配置されて、排水穴３２Ａを抜けた水を受ける。
【００４４】
シャワー型容器６Ａは、シャワーヘッドを模した容器であって、水が充填されるとともに、充填された水を吐出する容器である。なお、シャワー型容器６Ａは、第一実施形態の調味料容器６と同様に、水を吐出する１又は複数の吐出口が形成されている。
【００４５】
このように構成される人形２Ａ、シャワー室型玩具３Ａ、貯水容器５Ａ及びシャワー型容器６Ａは、それぞれ別部材で構成されている。このため、水遊び玩具セット１Ａで調理遊びをする際は、シャワー室型玩具３Ａに人形２Ａを入れたままでも、シャワー室型玩具３Ａから貯水容器５Ａを取り外すことで、貯水容器５Ａに貯留されている水を捨てることができる。
【００４６】
次に、水遊び玩具セット１Ａの遊び方について説明する。
【００４７】
まず、事前準備として、人形２Ａを氷水等で冷やしておく。これにより、人形２Ａの変色塗料２１Ａは、氷水等で冷やされることにより透明となる。また、シャワー型容器６Ａに常温の水を入れておく。
【００４８】
事前準備が終わると、人形がシャワー室でシャワーを浴びるように、シャワー室型玩具３Ａに人形２Ａを入れて、この人形２Ａにシャワー型容器６Ａから水をかける。すると、人形２Ａの変色塗料２１Ａは、常温の水で暖められることにより、透明になる。これにより、人形２Ａをシャワーで洗ったように見せることができる。
【００４９】
一方、人形２Ａにかけられた水は、人形２Ａを伝って又は直接的にシャワー室型玩具３Ａの底面３１Ａに落ちていく。シャワー室型玩具３Ａの底面３１Ａに落ちた水は、排水穴３２Ａを通って、貯水容器５Ａに落ち、貯水容器５Ａで一時的に溜められる。
【００５０】
そして、貯水容器５Ａにある程度の水が溜められると、シャワー室型玩具３Ａから貯水容器５Ａを取り外して、貯水容器５Ａに溜められた水を捨てる。
【００５１】
このように、本実施形態に係る水遊び玩具セット１Ａによっても、第一実施形態に係る水遊び玩具セット１と同様に、人形２Ａに水をかけても人形２Ａがシャワー室型玩具３Ａで水に浸かるのを抑制することができる。これにより、興趣性を向上させることができる。
【００５２】
以上、本考案の好適な実施形態について説明したが、本考案は上記実施形態に限定されるものではない。
【００５３】
例えば、上記実施形態では、調理遊び及びシャワー遊びに用いる水遊び玩具セットについて説明したが、本発明に係る水遊び玩具セットは、遊びの態様に限定されるものではなく、また、遊びの態様に応じて、各セットの形状及び構造を変えることができる。
【００５４】
また、上記実施形態では、第一玩具である食品型玩具及び人形に変色塗料を塗布するものとして説明したが、変色塗料を塗布しなくてもよく、また、変色の仕方を変えてもよい。
【符号の説明】
【００５５】
１…水遊び玩具セット、２…食品型玩具（第一玩具）、２１…変色塗料、３…鍋型玩具（第二玩具）、３１…底面、３２…排水穴、４…コンロ型玩具、４１…上面、４２…五徳部、４２１…円環部、４２２…腕部、４３…側面、４４…ツマミ部、４５…環状凹部、４６…排水穴、４７…排水穴、４８…底面、４９…排水穴、５…貯水容器、５１…貯水部、５２…杷手部、６…調味料容器、６１…容器部、６２…吐出口、６３…蓋部、１Ａ…水遊び玩具セット、２Ａ…人形（第一玩具）、３Ａ…シャワー室型玩具（第二玩具）、５Ａ…貯水容器、６Ａ…シャワー型容器、２１Ａ…変色塗料、３１Ａ…底面、３２Ａ…排水穴。
【図１】
0003204646.tif 000003
【図２】
0003204646.tif 000004
【図３】
0003204646.tif 000005
【図４】
0003204646.tif 000006